(57)【要約】      （修正有）【課題】迅速且つ簡易に組み立て/取り外しが可能な分解が容易なチェーンクリップ構造を提供する。【解決手段】分解が容易なチェーンクリップ構造は、弾性線材により湾曲成型するチェーンクリップ１である。両端に湾曲させて形成する嵌接環状部１２の片側の弾性アーム１２１の末端１２２は、それぞれ並列し、チェーンクリップ１本体１１の中段位置に重なる。こうして、別のチェーンクリップ１の何れか一端の嵌接環状部１２を使用し、何れか１個の嵌接環状部１２へと押して入れれば、嵌接環状部１２片側の弾性アーム１２１を簡単に押して開くことができ、弾性アーム１２１の末端を、もう１個のチェーンクリップ１の嵌接環状部１２に挿入した後、弾性アーム１２１は、弾性により、自動的に閉鎖する。【選択図】図１
0003197583.tif 000002
【実用新案登録請求の範囲】
【請求項１】
分解が容易なチェーンクリップ構造であって、弾性線材により湾曲成型するチェーンクリップで、
前記チェーンクリップは、両端に対称の嵌接環状部を、湾曲させて形成し、前記嵌接環状部は、対応する弾性アームを延長し、
前記各弾性アーム末端は、それぞれ並列し、前記チェーンクリップ本体の中段位置に重なり、
こうして、別の１個或いは２個のチェーンクリップの何れか一端の嵌接環状部を使用し、前記チェーンクリップの何れか１個の嵌接環状部へと押して入れれば、前記嵌接環状部片側の弾性アームを簡単に押して開くことができ、
これにより、前記弾性アームの末端を、もう１個のチェーンクリップの嵌接環状部に挿入した後、前記弾性アームは、弾性により、自動的に閉鎖し、
こうして、迅速、且つ簡単に取り外し/分解可能なチェーンクリップ設計を達成することを特徴とする分解が容易なチェーンクリップ構造。
【請求項２】
前記チェーンクリップの２個の嵌接環状部片側の弾性アームは、１個は上、１個は下に、前記チェーンクリップ本体両側に重ねられることを特徴とする請求項１に記載の分解が容易なチェーンクリップ構造。
【請求項３】
前記１個或いは１個以上のチェーンクリップにより組成するベルト状チェーン両端の各フッククリップは、自由に且つ迅速に、アルミネットフレーム、或いは他の室内外の場所に掛け、ソックス、或いは他の物品を掛けることができることを特徴とする請求項１に記載の分解が容易なチェーンクリップ構造。
【考案の詳細な説明】
【技術分野】
【０００１】
本考案は分解が容易なチェーンクリップ構造に関し、特に弾性線材を湾曲させて成型するチェーンクリップで、両端に形成する嵌接環状部片側の弾性アーム末端は、それぞれ並列され、チェーンクリップ本体の中段位置に重なり、こうして別のチェーンクリップのどちらか一方の一端の嵌接環状部をどちらかの嵌接環状部に押し入れることで、嵌接環状部片側の弾性アームを簡単に押し開くことができ、これにより弾性アームの末端は別のチェーンクリップの嵌接環状部に挿入された後、弾性アームは弾性により自動的に閉まり、こうして迅速かつ簡単に組み立て/組み合わせを行うことができるチェーンクリップ設計に関する。
【背景技術】
【０００２】
図９は、従来の構造を、ピンチハンガー３に使用する実施形態の模式図である。
図に示すとおり、使用するチェーン３１、３２は、金属製のチェーン３１、３２である。
その多くは、金属線材を湾曲加工して成型する。
組み立て時には、嵌接を完成したチェーン３１、３２を、人の手により工具を使用して、ピンチハンガー３上に組みつけ、組立てを完成する。
【０００３】
しかしながら、上記した従来の構造は、チェーン３１、３２に制限されるため、生産業者は出荷前に組立てを完成させなければならない。
このため、人件費が拡大し、体積が大きくなりかさばることで、包装及び輸送コストが増大し、さらに消費者が自ら組み立てできないという欠点があった。
さらに、チェーン３１、３２の設計においては、消費者は自ら組み立て、自分が必要な長さのベルト状チェーンにして使用することができない。
【考案の概要】
【考案が解決しようとする課題】
【０００４】
本考案の第一の目的は、両端に形成する嵌接環状部片側の弾性アーム末端は、それぞれ並列され、チェーンクリップ本体の中段位置に重なり、こうして別のチェーンクリップのどちらか一方の一端の嵌接環状部をどちらかの嵌接環状部に押し入れることで、嵌接環状部片側の弾性アームを簡単に押し開くことができ、これにより弾性アームの末端は別のチェーンクリップの嵌接環状部に挿入された後、弾性アームは弾性により自動的に閉まり、こうして迅速かつ簡単に組み立て/組み合わせを行うことができる分解が容易なチェーンクリップ構造を提供することである。
【０００５】
本考案の第二の目的は、消費者は自ら必要な長さのベルト状チェーンを組み立てて形成でき、衣服などを掛けて使用でき、或いはピンチハンガーなどに使用でき、必要に応じて、ピンチハンガーのクリップの長さを自ら調整して使用できる分解が容易なチェーンクリップ構造を提供することである。
【課題を解決するための手段】
【０００６】
本考案による分解が容易なチェーンクリップ構造は、弾性線材により湾曲成型するチェーンクリップである。
両端に湾曲させて形成する嵌接環状部の片側の弾性アームの末端は、それぞれ並列し、該チェーンクリップ本体の中段位置に重なる。
こうして、別のチェーンクリップの何れか一端の嵌接環状部を使用し、何れか１個の嵌接環状部へと押して入れれば、該環状部片側の弾性アームを簡単に押して開くことができ、該弾性アームの末端を、もう１個のチェーンクリップの嵌接環状部に挿入した後、該弾性アームは、弾性により、自動的に閉鎖する。
こうして、迅速、且つ簡単に取り外し/分解可能なチェーンクリップ設計を達成することができる。
これにより、消費者は必要な長さのベルト状チェーンを組み立てて形成でき、衣服など物品を掛けて使用でき、或いはピンチハンガーなどに使用することができ、必要に応じてピンチハンガーのフッククリップを自ら調整し、必要なフッククリップの長さを形成して使用することができる。
【考案の効果】
【０００７】
本考案は迅速且つ簡易に組み立て/取り外しが可能なチェーンクリップ設計で、消費者は自ら必要な長さのベルト状チェーンを形成し、衣服などの物品を掛けて使用でき、或いはピンチハンガーなどに使用でき、また必要に応じて、ピンチハンガーのフッククリップを自ら調整し、必要な長さにして使用することができる。
【図面の簡単な説明】
【０００８】
【図１】本考案の一実施形態による分解が容易なチェーンクリップ構造の立体図である。
【図２】本考案の一実施形態による分解が容易なチェーンクリップ構造において嵌接時の第一ステップ実施動作模式図である。
【図３】本考案の一実施形態による分解が容易なチェーンクリップ構造において嵌接時の第二ステップ実施動作模式図である。
【図４】本考案の一実施形態による分解が容易なチェーンクリップ構造において両端の嵌接完成時の実施形態模式図である。
【図５】本考案の一実施形態による分解が容易なチェーンクリップ構造において、１個以上のチェーンクリップを相互に嵌接してベルト状チェーンを形成する実施形態の立体図である。
【図６】本考案の一実施形態による分解が容易なチェーンクリップ構造においてチェーンクリップをピンチハンガーに使用する実施形態の模式図である。
【図７】本考案の一実施形態による分解が容易なチェーンクリップ構造において２個の嵌接環状部片側の弾性アームを、１個は上、１個は下に、チェーンクリップ本体に重ねる別種の実施形態の模式図である。
【図８】本考案の別種の実施形態による分解が容易なチェーンクリップ構造の使用状態図である。
【図９】従来の構造の模式図である。
【考案を実施するための形態】
【０００９】
図１に示すように、本考案一実施形態による分解が容易なチェーンクリップ構造は、弾性線材により湾曲成型するチェーンクリップ１である。
両端に湾曲させて形成する対称の嵌接環状部１２の片側の弾性アーム１２１の末端１２２は、それぞれ並列し、チェーンクリップ１本体１１の中段位置に重なる。
【００１０】
こうして、別の１個或いは２個のチェーンクリップ１の何れか一端の嵌接環状部１２を使用し、チェーンクリップ１の何れか１個の嵌接環状部１２へと押して入れれば、嵌接環状部１２片側の弾性アーム１２１を簡単に押して開くことができる。
これにより、弾性アーム１２１の末端を、もう１個のチェーンクリップ１の嵌接環状部１２に挿入した後、弾性アーム１２１は、弾性により、自動的に閉鎖する。
【００１１】
こうして、迅速、且つ簡単に取り外し/分解可能なチェーンクリップ１設計（図２、３、４参照）を達成することができる。
これにより、消費者は１個以上のチェーンクリップ１を組み立て、必要な長さのベルト状チェーンを組み立てて形成でき（図５参照）、衣服など物品を掛けて使用でき、或いはピンチハンガー２などに使用することができる。
或いは、１個或いは１個以上のチェーンクリップ１により組成するベルト状チェーン両端の各フッククリップ２１を、自由に且つ迅速に、アルミネットフレーム４、或いは他の室内外の場所に掛け、ソックス５、或いは他の物品６を掛けることができる（図８参照）。
【００１２】
必要に応じて、ピンチハンガー２のフッククリップ２１を自ら調整し、必要なフッククリップ２１の長さを形成することができる（図６参照）。
また、本考案のチェーンクリップ１の２個の嵌接環状部１２片側の弾性アーム１２１は、１個は上、１個は下に、チェーンクリップ１本体１１に重ねることができる（図７参照）。
【００１３】
前述した本考案の実施形態は本考案を限定するものではなく、よって、本考案により保護される範囲は後述される実用新案登録請求の範囲を基準とする。
【符号の説明】
【００１４】
１  チェーンクリップ
１１  本体
１２  嵌接環状部
１２１  弾性アーム
１２２  末端
２、３  ピンチハンガー
２１  フッククリップ
３１、３２  チェーン
４  アルミネットフレーム
５  ソックス
６  他の物品
【図１】
0003197583.tif 000003
【図２】
0003197583.tif 000004
【図３】
0003197583.tif 000005
【図４】
0003197583.tif 000006
【図５】
0003197583.tif 000007
【図６】
0003197583.tif 000008
【図７】
0003197583.tif 000009
【図８】
0003197583.tif 000010
【図９】
0003197583.tif 000011
【手続補正書】
【提出日】平成27年3月17日(2015.3.17)
【手続補正１】
【補正対象書類名】実用新案登録請求の範囲
【補正対象項目名】全文
【補正方法】変更
【補正の内容】
【実用新案登録請求の範囲】
【請求項１】
分解が容易なチェーンクリップ構造であって、弾性線材により湾曲成型するチェーンクリップで、
前記チェーンクリップは、両端に対称の嵌接環状部を、湾曲させて形成し、前記嵌接環状部は、対応する弾性アームを延長し、
前記各弾性アーム末端は、それぞれ並列し、前記チェーンクリップ本体の中段位置に重なり、
こうして、別の１個或いは２個のチェーンクリップの何れか一端の嵌接環状部を使用し、前記チェーンクリップの何れか１個の嵌接環状部へと押して入れれば、前記嵌接環状部片側の弾性アームを簡単に押して開くことができ、
これにより、前記弾性アームの末端を、もう１個のチェーンクリップの嵌接環状部に挿入した後、前記弾性アームは、弾性により、自動的に閉鎖することを特徴とする分解が容易なチェーンクリップ構造。
【請求項２】
前記チェーンクリップの２個の嵌接環状部片側の弾性アームは、１個は上、１個は下に、前記チェーンクリップ本体両側に重ねられることを特徴とする請求項１に記載の分解が容易なチェーンクリップ構造。
【請求項３】
ベルト状チェーン両端の各フッククリップは、前記１個或いは１個以上のチェーンクリップにより組成することを特徴とする請求項１に記載の分解が容易なチェーンクリップ構造。